(57)【特許請求の範囲】
【請求項１】
一定幅及び一定厚さの板状断熱部を有する建築用断熱材において、
上記板状断熱部の上面に上記板状断熱部の厚さの半分以上の深さを有する上面溝を長手方向全長にわたり形成し、
上記板状断熱部の下面に上記上面溝の位置から所要寸法ずらせて、上記板状断熱部の厚さの半分以上の深さを有する下面溝を長手方向全長にわたり形成し、
上記上面溝及び下面溝を形成することにより、上面溝及び下面溝の溝底部分相互間に屈曲自在の連結部を設け、
上記板状断熱部の両側面における上記板状断熱部の下面に寄った位置に側面溝をそれぞれ形成し、
上記側面溝と上記板状断熱部の上記下面との間の板状断熱部の一部を上記側面より外方に突出せしめ、その突出端を下方に屈曲させて逆Ｌ字形の屈曲自在の脚部を設けてなる建築用断熱材。
【請求項２】
上記上面及び下面にそれぞれ所定本数の上面溝及び下面溝を形成し、上記上面溝と下面溝とを、それぞれ互い違いに配置した請求項１に記載の建築用断熱材。
【請求項３】
一定幅及び一定厚さの板状断熱部を有する建築用断熱材において、
上記板状断熱部の上面又は下面のいずれか一方の面に、屈曲溝を長手方向全長にわたって形成し、この屈曲溝の溝底から互いに異なる二方向に分かれて延長された分岐溝を長手方向全長にわたって形成し、上記屈曲溝及び分岐溝は、合わせて上記板状断熱部の厚さの半分以上の深さを有し、
上記板状断熱部の両側面における上記板状断熱部の下面に寄った位置に側面溝をそれぞれ形成し、
上記側面溝と上記板状断熱部の下面との間の板状断熱部の一部を上記側面より外方に突出せしめ、その突出端を下方に屈曲させて逆Ｌ字形の屈曲自在の脚部を設け、
上記板状断熱部の上面又は下面のいずれか一方の面の両側部に上記板状断熱部の厚さの半分以上の深さを有する側部溝を長手方向全長にわたりそれぞれ形成してなる建築用断熱材。
【請求項４】
上記分岐溝は、上記屈曲溝の溝底から上記板状断熱部の両側面の方向に分かれてそれぞれ所定距離延び、その先端で上記屈曲溝の開口端を有する面と反対側の面に向かって所定距離延びており、上記屈曲溝の開口端を有する面から上記分岐溝の先端部までの溝の深さが、上記板状断熱部の厚さの半分以上である請求項３に記載の建築用断熱材。
【請求項５】
上記分岐溝は、上記屈曲溝の溝底から上記板状断熱部の両側面の方向に分かれてそれぞれ所定距離延びており、上記屈曲溝の開口端を有する面から上記分岐溝の先端部までの溝の深さが、上記板状断熱部の厚さの半分以上である請求項３に記載の建築用断熱材。
【請求項６】
一定幅及び一定厚さの板状断熱部を有する建築用断熱材において、
上記板状断熱部の下面の両側部に下方に突出する脚部をそれぞれ設け、
上記板状断熱部の両側面は、上記板状断熱部の下面から上面に向かって外向きに広がって形成され、
上記脚部が配される位置に対応する上記板状断熱部の上面に、他の同様の建築用断熱材の脚部を挿入できる幅を有する脚部挿入溝をそれぞれ長手方向全長にわたり形成し、
上記板状断熱部の上面の側縁と上記脚部挿入溝との間に、上記板状断熱部の厚さの半分以上の深さを有する側部溝をそれぞれ長手方向全長にわたり形成してなる建築用断熱材。
【請求項７】
一定幅及び一定厚さの板状断熱部を有する建築用断熱材において、
上記板上断熱部の両側面を端面からみたときに円弧状となるように形成し、上記円弧状側面の内側に、上記の各側面に沿った円弧状の溝を長手方向全長にわたり形成してなる建築用断熱材。
【請求項８】
上記の各脚部に沿った板状断熱部の下面の所定位置からその脚部の屈曲辺にわたる所定幅の脚部収納溝を、長手方向全長にわたってそれぞれ形成し、この脚部収納溝の幅を、上記板状断熱部の下面より下方に突出した脚部の長さより大きく設定した請求項１又は２に記載の建築用断熱材。
【請求項９】
一定幅及び一定厚さの板状断熱部を有する建築用断熱材において、
上記板状断熱部の上面に上記板状断熱部の厚さの半分以上の深さを有する上面溝を長手方向全長にわたり形成し、
上記板状断熱部の下面に上記上面溝の位置から所要寸法ずらせて、上記板状断熱部の厚さの半分以上の深さを有する下面溝を長手方向全長にわたり形成し、
上記上面溝及び下面溝を形成することにより、上面溝及び下面溝の溝底部分相互間に屈曲自在の連結部を設け、
上記板状断熱部の両側面から外方に突出させ、その突出部を下方に延長させて脚部を設け、
上記板状断熱部の下面の両側部に脚屈曲用溝を長手方向全長にわたりそれぞれ形成してなる建築用断熱材。
【請求項１０】
上記上面及び下面にそれぞれ所定本数の上面溝及び下面溝を形成し、上記上面溝と下面溝とを、それぞれ互い違いに配置した請求項９に記載の建築用断熱材。
【請求項１１】
上記両脚屈曲用溝における上記板状断熱部の側面側の面、又は上記板状断熱部の両側面に、それぞれ長手方向全長にわたり屈曲起点溝を形成してなる請求項９又は１０に記載の建築用断熱材。
【発明の詳細な説明】
【０００１】
【発明の属する技術分野】
この発明は、木造住宅に用いられる建築用断熱材に関し、詳しくは、床下、壁や屋根等に用いられる板状の建築用断熱材に関する。
【０００２】
【従来の技術】
床下に用いられる板状の建築用断熱材１は、図１４に示すように、家の支柱間に配される大引き２の上であって、この大引き２と直角に床板を張るための根太３の間に配される。上記根太３の太さ及び根太３と隣り合う根太３の距離は、建築基準で規定されており、根太３と隣り合う根太３の間に配される上記断熱材１は建築基準等で定められた所定の大きさのものが前もって準備される。
【０００３】
また、この板状の断熱材１は、図１４に示すように、一方の面の幅方向の中央部分に、この上記断熱材１の厚さの半分以上の深さを有する切り込み４が長手方向全長にわたり設けられている。根太３の間に上記断熱材１を挿入する場合、上記切り込み４の部分で折り曲げて上記断熱材１を山状にし、この状態で根太３の間に入れ、上記断熱材１を水平に押し戻すことにより根太３の間に上記断熱材１を挿入することができる。
【０００４】
【発明が解決しようとする課題】
しかしながら、根太３は木材の削り方や湿度等により変動するため、根太３の太さは建築基準等の規定に対して、数ｍｍ程度の誤差が生じやすい。また、根太３と隣り合う根太３との距離についても、必ずしも正確に保たれるわけではなく、現場の工事において数ｍｍ〜十数ｍｍの誤差が生じる。
【０００５】
これらの誤差により、上記断熱材１が挿入される根太３と隣り合う根太３との間隔は、数ｍｍ〜十数ｍｍの誤差が生じる。これに対し、この間に挿入される上記断熱材１の幅は、建築基準等の規定にしたがったものが前もって準備されている。
【０００６】
このため、根太３と隣り合う根太３との間隔が建築基準等の規定より大きい場合、上記断熱材１は根太３と密接させて挿入することができず、大引き２上に置かれる状態となる。このとき、根太３と上記断熱材１との間に隙間が生じるので、断熱効果が低下する。さらに上記断熱材１の置き方によっては、大引き２よりずれ落ち、断熱効果を発揮しない場合も生ずる。
【０００７】
また、根太３と隣り合う根太３との間隔が上記規定より小さい場合、上記断熱材１を挿入しにくいため、無理やり押し込むことが必要となる。上記断熱材１は、一般的に発泡ポリスチレンや発泡ポリエチレン等の発泡プラスチックを用いるので、ある程度収縮させることは可能である。しかし、根太３と隣り合う根太３との間隔が上記断熱材１の収縮限度を越える場合は、押し込むことができず、上記断熱材１の側部を切断する必要が生じ、現場において余分な作業が発生する。
【０００８】
さらに、上記切り込み４は、１本だけ線状に設けられているため、根太３と隣り合う根太３との間に上記断熱材１を挿入するときに山状にするので、上記切り込み４の先端部と上記切り込み部４が設けられている面と反対側の面との間の部分に大きな歪みが生じる。このため、所定以上の力を加えると、この部分に破断が生じる場合がある。破断が生じたとき、上記断熱材１をきっちりと挿入することが困難となり、根太３と上記断熱材１との間や、上記断熱材１の破断の生じた部分に隙間が生じやすく、断熱効果を低下させることとなる場合がある。
【０００９】
さらにまた、規定では、上記断熱材１の高さは根太３の高さより低くて良いため、上記断熱材１の上面と根太３の上面との間、すなわち、上記断熱材１の上面と根太３上に設けられる床板との間に空気層が残る。この空気層の流れによって、断熱効果が低下する。
【００１０】
そこで、この発明の課題は、上記の問題を解決し、断熱効果を維持し、現場においての作業を容易にする断熱材を提供することである。
【００１１】
【課題を解決するための手段】
上記の課題を解決するため、この建築用断熱材にかかる第１の発明は、一定幅及び一定厚さの板状断熱部を有する建築用断熱材において、上記板状断熱部の上面に上記板状断熱部の厚さの半分以上の深さを有する上面溝を長手方向全長にわたり形成し、上記板状断熱部の下面に上記上面溝の位置から所要寸法ずらせて、上記板状断熱部の厚さの半分以上の深さの下面溝を長手方向全長にわたり形成し、上記上面溝及び下面溝を形成することにより、上面溝及び下面溝の溝底部分相互間に屈曲自在の連結部を設け、上記板状断熱部の両側面における上記板状断熱部の下面に寄った位置に側面溝をそれぞれ形成し、上記側面溝と上記板状断熱部の下面との間の板状断熱部の一部を上記側面より外方に突出せしめ、その突出端を下方に屈曲させて逆Ｌ字形の屈曲自在の脚部を設けてなる。
【００１２】
また、上記上面及び下面にそれぞれ所定本数の上面溝及び下面溝を形成し、上記上面溝と下面溝とを、それぞれ互い違いに配置することができる。
【００１３】
さらに、上記の各脚部に沿った板状断熱部の下面の所定位置からその脚部の屈曲辺にわたる所定幅の脚部収納溝を、長手方向全長にわたってそれぞれ形成し、この脚部収納溝の幅を、上記板状断熱部の下面より下方に突出した脚部の長さより大きく設定することができる。
【００１４】
脚部を板状断熱部の側面から外方にそれぞれ突出させたので、両脚部間の幅は、板状断熱部の幅より大きくなる。このため、想定される根太と隣り合う根太との間隔の最大値に両脚部間の幅を設定すれば、根太と板状断熱部との間の隙間が発生するのを防ぐことができる。
【００１５】
また、根太と隣り合う根太との間隔が、両脚部間の幅と板状断熱部の幅の間になったときは、脚部を内側に屈曲させることができるので、板状断熱部を根太間に挿入することができ、かつ、根太と板状断熱部との間の隙間が発生するのを防ぐことができる。
【００１６】
さらに、板状断熱部に上面溝及び下面溝を設けたので、根太と隣り合う根太との間隔が板状断熱部の幅より小さくなったときは、脚部を内側に屈曲させ、かつ、溝を閉塞させ、さらに必要に応じて、板状断熱部を圧縮することにより、板状断熱部を根太間に挿入することができる。
【００１７】
さらにまた、上記の連結部を設けたので、板状断熱部を根太間に挿入するためにこの板状断熱部を山状にするとき、溝底部にかかる歪みを連結部や溝底等に分散し、溝底部が破断されるのを防止できる。
【００１８】
また、脚部を設けたので、この脚部の長さを調整することにより、板状断熱部の脚部の配される面と反対側の上面と根太の上面との間、すなわち、上記断熱材の上面と根太上に設けられる床板との間に空気層が生じるのを防止することができる。
【００１９】
さらに、板状断熱部の上面と下面の幅すなわち厚みを根太の高さと同じにする場合、板状断熱部に上記の脚部収納溝を設けることにより、脚部のうち板状断熱部の下面より下方に突出している部分を折り曲げてこの脚部収納溝に収納することができる。これにより、板状断熱部の上面が根太の上面より上方に配されるのを防止できる。
【００２０】
この建築用断熱材にかかる第２の発明は、一定幅及び一定厚さの板状断熱部を有する建築用断熱材において、上記板状断熱部の上面又は下面のいずれか一方の面に、屈曲溝を長手方向全長にわたって形成し、この屈曲溝の溝底から互いに異なる二方向に分かれて延長された分岐溝を長手方向全長にわたって形成し、上記屈曲溝及び分岐溝は、合わせて上記板状断熱部の厚さの半分以上の深さを有し、上記板状断熱部の両側面における上記板状断熱部の下面に寄った位置に側面溝をそれぞれ形成し、上記側面溝と上記板状断熱部の下面との間の板状断熱部の一部を上記側面より外方に突出せしめ、その突出端を下方に屈曲させて逆Ｌ字形の屈曲自在の脚部を設け、上記板状断熱部の上面又は下面のいずれか一方の面の両側部に上記板状断熱部の厚さの半分以上の深さを有する側部溝を長手方向全長にわたりそれぞれ形成してなる。
【００２１】
また、上記分岐溝は、上記屈曲溝の溝底から上記板状断熱部の両側面の方向に分かれてそれぞれ所定距離延び、その先端で上記屈曲溝の開口端を有する面と反対側の面に向かって所定距離延びており、上記屈曲溝の開口端を有する面から上記分岐溝の先端部までの溝の深さは、上記板状断熱部の厚さの半分以上とすることができる。
【００２２】
さらにまた、上記分岐溝は、上記屈曲溝の溝底から上記板状断熱部の両側面の方向に分かれてそれぞれ所定距離延びており、上記屈曲溝の開口端を有する面から上記分岐溝の先端部までの溝の深さは、上記板状断熱部の厚さの半分以上とすることができる。
【００２３】
脚部を板状断熱部の側面から外方にそれぞれ突出させたので、両脚部間の幅は、板状断熱部の幅より大きくなる。このため、想定される根太と隣り合う根太との間隔の最大値に両脚部間の幅を設定すれば、根太と板状断熱部との間に隙間が発生するのを防ぐことができる。
【００２４】
また、根太と隣り合う根太との間隔が、両脚部間の幅と板状断熱部の幅の間になったときは、脚部を内側に屈曲させることができるので、板状断熱部を根太間に挿入することができ、かつ、根太と板状断熱部との間の隙間が発生するのを防ぐことができる。
【００２５】
さらに、板状断熱部に屈曲溝、分岐溝及び側部溝を設けたので、根太と隣り合う根太との間隔が板状断熱部の幅より小さくなったときは、脚部を内側に屈曲させ、かつ、屈曲溝、分岐溝及び側部溝を閉塞することにより、板状断熱部を根太間に挿入することができる。
【００２６】
さらにまた、上記の分岐溝を設けて溝底部を広げたので、板状断熱部を根太間に挿入するためにこの板状断熱部を屈曲して山状にするとき、溝底部にかかる歪みが分散され、溝底部が破断するのを防止できる。
【００２７】
また、脚部を設けたので、この脚部の長さを調整することにより、板状断熱部の上面と根太の上面との間、すなわち、上記建築用断熱材の上面と根太上に設けられる床板との間に空気層が生じるのを防止することができる。
【００２８】
この建築用断熱材にかかる第３の発明は、一定幅及び一定厚さの板状断熱部を有する建築用断熱材において、上記板状断熱部の下面の両側部に下方に突出する脚部をそれぞれ設け、上記板状断熱部の両側面は、上記板状断熱部の下面から上面に向かって外向きに広がって形成され、上記脚部が配される位置に対応する上記板状断熱部の上面に、他の同様の建築用断熱材の脚部を挿入できる幅を有する脚部挿入溝をそれぞれ長手方向全長にわたり形成し、上記板状断熱部の上面の側縁と上記脚部挿入溝との間に、上記板状断熱部の厚さの半分以上の深さを有する側部溝をそれぞれ長手方向全長にわたり形成してなる。
【００２９】
板状断熱部の両側面を下面から上面に向かって外向きに広がって形成したので、想定される根太と隣り合う根太との間隔の最大値に板状断熱部の上面の幅を設定すれば、根太と板状断熱部との間の隙間が発生するのを防ぐことができる。また、板状断熱部を根太間に挿入しやすくなる。
【００３０】
さらに、板状断熱部に脚部挿入溝及び側部溝を設けたので、根太と隣り合う根太との間隔が、板状断熱部の上面の幅より小さくなったときは、板状断熱部の両側面を内側に押し込んで脚部挿入溝及び側部溝を閉塞することにより、板状断熱部を根太間に挿入することができる。
【００３１】
さらにまた、脚部を設けたので、この脚部の長さを調整することにより、板状断熱部の上面と根太の上面との間、すなわち、上記建築用断熱材の上面と根太上に設けられる床板との間に空気層が生じるのを防止することができる。
【００３２】
この建築用断熱材にかかる第４の発明は、一定幅及び一定厚さの板状断熱部を有する建築用断熱材において、上記板上断熱部の両側面を端面からみたときに円弧状となるように形成し、上記円弧状側面の内側に、上記の各側面に沿った円弧状の溝を長手方向全長にわたり形成してなる。
【００３３】
板状断熱部の両側面を端面からみたときに円弧状となるように形成したので、想定される根太と隣り合う根太との間隔の最大値に板状断熱部の最大幅を設定すれば、根太と板状断熱部との間の隙間が発生するのを防ぐことができる。
【００３４】
また、板状断熱部の両側面の内側に側面に沿った円弧状の溝を設けたので、根太と隣り合う根太との間隔が、板状断熱部の最大幅より小さくなったときは、円弧状溝を閉塞することにより、板状断熱部を根太間に挿入することができる。
【００３５】
さらに、板状断熱部の両側面を円弧状に形成したので、板状断熱部を根太間に挿入しやすい。
【００３６】
さらにまた、板状断熱部の両側面と円弧状溝との間に形成される両側部片は円弧状なので、板状断熱部が根太間に挿入されたとき、上記の円弧状部片が根太を押しつける力が大きくなり、脚部がなくても、板状断熱部の上側に配される面を根太の上面と同一平面上に維持することができる。
【００３７】
この建築用断熱材にかかる第５の発明は、一定幅及び一定厚さの板状断熱部を有する建築用断熱材において、上記板状断熱部の上面に上記板状断熱部の厚さの半分以上の深さを有する上面溝を長手方向全長にわたり形成し、上記板状断熱部の下面に上記上面溝の位置から所要寸法ずらせて、上記板状断熱部の厚さの半分以上の深さを有する下面溝を長手方向全長にわたり形成し、上記上面溝及び下面溝を形成することにより、上面溝及び下面溝の溝底部分相互間に屈曲自在の連結部を設け、上記板状断熱部の両側面から外方に突出させ、その突出部を下方に延長させて脚部を設け、上記板状断熱部の下面の両側部に脚屈曲用溝を長手方向全長にわたりそれぞれ形成してなる。
【００３８】
また、上記上面及び下面にそれぞれ所定本数の上面溝及び下面溝を形成し、上記上面溝と下面溝とを、それぞれ互い違いに配置することができる。
【００３９】
さらに、上記両脚屈曲用溝における上記板状断熱部の側面側の面、又は上記板状断熱部の両側面に、それぞれ長手方向全長にわたり屈曲起点溝を形成することができる。
【００４０】
上記の構成としたので、第１の発明の場合の作用に加え、根太と隣り合う根太との間隔が両脚部間の幅より小さくなるときは、上記脚部が上記脚部収納溝に屈曲してこの脚部収納溝を閉塞する。このため、脚部が有する弾性によって、この脚部が元の状態に戻ろうとするのを防止することができ、板状断熱部を根太間に挿入した際に上記板状断熱部の連結部が上方に突出するのを防止することができる。特に、上記の屈曲起点溝を設けた場合は、脚部の屈曲起点を一定にすることができ、脚部が屈曲しやすくなる。
【００４１】
【発明の実施の形態】
以下、この発明の実施形態を図面を参照して説明する。
【００４２】
この建築用断熱材にかかる第１の実施形態は、図１〜２に示すように、一定幅及び一定厚さの板状断熱部１１とその両側に脚部１２からなる。
【００４３】
板状断熱部１１には、上面２４に上記板状断熱部１１の厚さの半分以上の深さを有する上面溝１３が長手方向全長にわたり形成され、また、上記板状断熱部１１の下面に上面溝１３の位置から所要寸法ずらせて、上記板状断熱部１１の厚さの半分以上の深さの下面溝１４が長手方向全長にわたり形成されている。上記の上面溝１３及び下面溝１４を形成することにより、上面溝１３及び下面溝１４の溝底部分相互間が連結され、屈曲自在の連結部１５が形成される。この連結部１５を設けたので、板状断熱部１１を根太間に配するために板状断熱部１１を山状にしたとき、生ずる歪みを分散させることができ、この部分が破断するのを防ぐことができる。上記の上面溝１３や下面溝１４、それらから形成される連結部１５は、板状断熱部１１のどの位置に設けてもよい。その中でも、中央部に設けると、板状断熱部１１を根太間に配するために板状断熱部１１を山状にしたとき、対象性を有する山を形成するので、この建築用断熱材を根太間に収納しやすくなる。
【００４４】
また、上面溝１３と下面溝１４との間に設けられる上記連結部１５は、この連結部１５が容易に破断しない程度の厚さを有すればよい。
【００４５】
上記上面溝１３及び下面溝１４の本数は、特に限定されるものではないが、それぞれ１〜４本が好ましい。また、上面溝１３と下面溝１４とは同じ本数を設けてもよく、異なる本数を設けてもよい。上面溝１３又は下面溝１４の本数がそれぞれ５本以上となると、連結部１５自体の有するバネ状の性質が強くなり、この建設用断熱材を根太間に配しても、少しの力で根太間からこの建築用断熱材が外れやすくなるからである。
【００４６】
上面溝１３及び下面溝１４をそれぞれ複数本設ける場合は、上面溝１３及び下面溝１４を、それぞれ互い違いに配置すればよい。
【００４７】
また、上面溝１３及び下面溝１４の溝幅は、特に限定されるものではないが、板状断熱部１１が両側面より力を受けて、溝底部分が収縮しうる量の範囲で設けることができる。溝底部分が収縮する量の範囲を越えて溝幅を設けると、加えられる圧力によっては、溝底部分に過負荷がかかり、圧壊する場合が生じることがあるからである。
【００４８】
上面溝１３及び下面溝１４の本数及び配置の好ましい建築用断熱材１の例として、図１及び図２示すように、上記板状断熱部１１の中央部付近の上面２４に上面溝１３を２本設け、この２本の上面溝１３にはさまれる部分の下面２５に下面溝１４を１本設けた板状断熱部１１があげられる。また、図１５に示すように、上記板状断熱部１１の中央部付近の下面２５に下面溝１４を２本設け、この２本の下面溝１４にはさまれる部分の上面２４に上面溝１３を１本設けた板状断熱部１１もあげられる。
【００４９】
これらは、一方の面に２本の溝を有し、この２本の溝にはさまれる部分の反対側の面に１本の溝を有するので、板状断熱部１１の強度が低下することなく、連結部１５のバネ状の性質を発揮し連結部１５における破断を生じるのを防ぐことができる。
【００５０】
板状断熱部１１の両側面には、板状断熱部１１の下面２５に寄った位置に側面溝１６がそれぞれ長手方向全長にわたり形成される。また、この側面溝１６と板状断熱部１１の上記下面２５との間の板状断熱部１１の一部、すなわち脚接続部１７を側面より外方に突出せしめ、その突出端を上記の側面溝１６と反対側に屈曲させることにより、上記脚接続部１７及び上記屈曲させた部分からなる逆Ｌ字形の屈曲自在の脚部１２が長手方向全長にわたり設けられる。
【００５１】
この脚部１２の長さ、すなわち、脚部１２のうち、板状断熱部１１の下面２５より下方に突出した部分の長さは、この脚部１２の長さと、板状断熱部１１の上面２４と下面２５との幅、すなわち、厚みとの合計が根太の高さと合致するように設定する。なお、この板状断熱部１１の厚みは、建築基準等により定められている。
【００５２】
上記の板状断熱部１１を有する建築用断熱材は、連結部１５を頂点とする山状にして根太間に入れ、板状断熱部１１を一平面上になるように押し込むことにより、図３に示すように、建築用断熱材１０を挿入することができる。このとき、脚部１２の先端を大引き１９上にのせると、板状断熱部１１の上面２４を根太１８の上面とほぼ同一平面にすることができるので、両者の上面を同一平面上に合わせることが容易となる。
【００５３】
建築用断熱材１０に用いられる材料としては、断熱効果を有し、多少の収縮性を有するものであればどのようなものでもよいが、発泡プラスチックが好ましく、その例として、発泡ポリスチレン、発泡ポリエチレン、硬質ウレタンフォーム、フェノールフォーム等があげられる。
【００５４】
根太１８の太さ及び配置位置によって、根太１８と隣接する根太１８との間隔は、規定の間隔に対して広くなったり狭くなったりする。このような場合でも上記の建築用断熱材を用いれば、きっちりと根太１８間に挿入することができる。図４（ｂ）に示すように、根太１８間が建築基準等の規定通りの間隔を有する場合は、上面溝１３、下面溝１４の溝幅がある程度減り、板状断熱部１１の両側面が根太１８と接触する。このとき、脚部１２は、脚接続部１７が屈曲して脚部１２の先端部が内側へ傾斜する。この脚部１２の先端部は大引き１９と接触するので、板状断熱部１１の上面と根太の上面とを同一平面状にしたとき、板状断熱部１１の自重によって、板状断熱部１１がずり落ちるのを防ぐことができる。
【００５５】
根太１８間が上記規定より広い場合は、図４（ｃ）に示すように、板状断熱部１１の両側面と根太１８との間に隙間が生じるが、脚部１２が根太１８と接触するので、断熱性は保たれる。また、板状断熱部１１の位置は脚部１２に支えられるので、板状断熱部１１の上面と根太の上面とを同一平面状で保持される。
【００５６】
根太１８間が上記規定より狭い場合は、図４（ａ）に示すように、上面溝１３、下面溝１４の溝幅がなくなり、場合によっては板状断熱部１１自体が圧縮される。また、脚部１２の脚接続部１７が屈曲して脚部１２の先端が内側へ傾斜する。この場合、脚部１２の先端は大引き１９に接触しないが、板状断熱部１１自体が圧縮されて根太１８に密着しているので、ずり落ちることはない。
【００５７】
この建築用断熱材の材料が発泡プラスチックの押出成形により得られるシート体の場合は、所定の大きさにカットして、１つ１つを加工することにより得られる。
【００５８】
また、この建築用断熱材の材料がビーズ法発泡ポリスチレンのようにブロック体で得られる場合は、図５に示すように、上記ブロック体を切るとき、脚部１２、板状断熱部１１、上面溝１３、下面溝１４、側面溝１６が構成されるように、ブロックの一側面から他側面に向かって、刃を自在に動かして切断していくことができる。このとき、１枚の刃を用いて順番に切ることもでき、また、複数の刃を用いて一度に切ることもできる。これにより、上記ブロック体から建築用断熱材の重複積層体が得られる。
【００５９】
この場合、材料をほとんどロスすることなく、上記ブロック体を建築用断熱材に供与することができる。最も大きなロスは、上記ブロック体の最下部に形成される建築用断熱材の下側で、その脚部１２の間に挟まれる部分であるが、この部分は、上記ブロック体の最下部の建築用断熱材の脚部１２を保護するための保護材２０として、運搬等に利用することができる。
【００６０】
ところで、場合によっては、根太の高さに相当する厚みを有する建築用断熱材が要求されることがある。
【００６１】
この場合は、図１６や図１７に示すような板状断熱材を用いることができる。これは、一定幅及び一定厚さの板状断熱部１１’とその両側に脚部１２’からなる。この板状断熱部１１’の厚みは、この建築用断熱材で配される根太の高さと同じである。
【００６２】
板状断熱部１１’には、上面２４に上記板状断熱部１１の厚さの半分以上の深さを有する上面溝１３が長手方向全長にわたり形成され、また、下面２５に上記上面溝１３の位置から所要寸法ずらせて、上記板状断熱部１１の厚さの半分以上の深さの溝１４が長手方向全長にわたり形成されている。上記の上面溝１３及び下面溝１４を形成することにより、上面溝１３及び下面溝１４の溝底部分相互間が連結され、屈曲自在の連結部１５が形成される。この連結部１５により、板状断熱部１１’を根太間に配するために板状断熱部１１’を屈曲して山状にしたとき、生ずる歪みを分散させることができ、この部分が破断するのを防ぐことができる。
【００６３】
なお、上面溝１３及び下面溝１４の本数、配置位置、これらの間の距離、上面溝１３と下面溝１４との相互関係は、図１の場合と同様にすることにより、同様の効果を得ることができる。
【００６４】
溝１３及び溝１４の本数及び配置の好ましい建築用断熱材の例として、図１６及び図１７に示すような、下面２５に下面溝１４を２本設け、この２本の下面溝１４にはさまれる部分の上面２４に上面溝１３を１本設けた板状断熱部があげられる。
【００６５】
この構造をとることにより、板状断熱部１１’の強度が低下することなく、連結部１５のバネ状の性質を発揮するので、連結部１５における破断を生じるのを防ぐことができる。
【００６６】
板状断熱部１１’の両側面には、板状断熱部１１’の下面２５に寄った位置に側面溝１６がそれぞれ長手方向全長にわたり形成される。また、この側面溝１６と板状断熱部１１’の上記下面２５との間の板状断熱部１１’の一部、すなわち脚接続部１７’を側面より外方に突出せしめ、その突出端を上記の側面溝１６と反対側、すなわち下方に屈曲させることにより、上記脚接続部１７’及び上記屈曲させた部分からなる逆Ｌ字形の屈曲自在の脚部１２’が長手方向全長にわたり設けられる。
【００６７】
さらに、上記の各脚部１２’に沿った板状断熱部１１’の下面２５の所定位置からその脚部１２’が屈曲した辺、すなわち屈曲辺２８にわたって、所定幅の脚部収納溝２６を、長手方向全長にわたってそれぞれ形成する。
【００６８】
また、上記脚部１２’の外周面であって、板状断熱部１１’の下面２５と、上記脚部収納溝２６の上面とに挟まれる位置に、屈曲起点溝２７を設けることができる。この屈曲起点溝２７は、脚部１２’の屈曲の起点となるので、脚部１２’の屈曲が容易となる。
【００６９】
上記脚部収納溝２６の深さは、特に限定されないが、上記脚部１２’であって、上記板状断熱部１１’の下面２５より下方に突出した部分の脚の厚みと同等にすることが好ましい。
【００７０】
また、上記脚部収納溝２６の所定の溝幅は、板状断熱部１１’の下面２５より下方に突出した脚部１２’の長さ、詳しくは、上記屈曲起点溝２７を有する場合は、脚部１２’の先端から屈曲起点溝２７までの長さ、屈曲起点溝２７を有さない場合は、脚部１２’の先端から屈曲辺２８までの長さより大きく設定すればよい。最も好ましい長さは、脚部１２’の先端から、屈曲起点溝２７までの長さ、又は脚部１２’の先端から屈曲辺２８までの長さに、脚接続部１７’が、板状断熱部１１’の側面より外側に突出した突出長さを加えた長さである。
【００７１】
このように、脚部収納溝２６の深さと幅を設けると、図１８（ａ）（ｂ）に示すように根太１８間に、この建築用断熱材を挿入すると、脚部１２’が折れ曲がり脚部収納溝２６に収納され、脚部１２’の存在により、板状断熱部１１’が根太１８の上面により上方に突出するのを防止できる。
【００７２】
このとき、屈曲起点溝２７を設けると、ここで、脚部１２’が折れ曲がるので、この建築用断熱材を根太１８間に挿入しやすくなる。
【００７３】
根太１８の太さ及び配置位置によって、根太１８と隣接する根太１８との間隔は、建築基準等の規定の間隔に対して広くなったり狭くなったりする。このような場合でも上記の建築用断熱材を用いれば、建築用断熱材の上面と根太の上面とを同一平面上に揃えて、きっちりと根太１８間に挿入することができる。
【００７４】
根太１８間が規定より広い場合は、図１８（ｂ）に示すように、板状断熱部１１’の両側面と根太１８との間に隙間が生じるが、脚部１２’が根太１８と接触するので、断熱性は保たれる。また、脚部１２’の先端部は折れ曲って、脚部収納溝２６に収納されるので、脚部１２’の突出がなくなり、板状断熱部１１’の上面と根太の上面とが同一平面上に保持される。
【００７５】
根太１８間が規定より狭い場合は、図１８（ａ）に示すように、上面溝１３、下面溝１４の溝幅がなくなり、場合によっては板状断熱部１１’自体が圧縮される。また、脚部１２’は上記と同様に脚部収納溝２６に収納される。この場合、板状断熱部１１’の両側面から突出した部分は、脚部収納溝２６に押し込まれるが、脚部収納溝２６は、これを取り込むことができるので、脚部１２’の突出は防止され、板状断熱部１１’の上面で根太の上面とが同一平面上に保持される。
【００７６】
なお、根太１８としてより太い根太を用いる場合は、図１６〜図１７に記載した建築用断熱材を、図１〜図２に記載の建築用断熱材を用いた場合と同様に使用することができる。
【００７７】
ところで、図１、図１５又は図１７に示す建築用断熱材において、上面溝１３、下面溝１４の溝の深さは、板状断熱部１１、１１’の厚みの半分以上であればよいが、材料として、発泡プラスチックを用い、各溝を加熱したワイヤー等で材料を溶融させながら、切断、加工して建築用断熱材を製造する場合は、溝の先端と相対する上面又は下面との距離が、１〜２mm程度であってもよい。
【００７８】
これは、材料を熱溶融させながら製造するので、溝の先端と、相対する面との間は、溝を製造するときの熱によって発泡がつぶれて密度が上がり、この部分の強度が向上するからである。
【００７９】
この建築用断熱材にかかる第２の実施形態は、図６や図７に示すものであり、上記第１の実施形態とは、上面溝１３及び下面溝１４以外の板状断熱部１１、脚部１２、側面溝１６、材質等は、全く同様である。
【００８０】
第２の実施形態においては、板状断熱部１１のいずれか一方の面に、屈曲溝２１、２１’が形成され、その屈曲溝２１、２１’の溝底から互いに異なる二方向に分かれて延長された分岐溝２９、２９’が形成される。この屈曲溝２１、２１’及び分岐溝２９、２９’の深さは、上記板状断熱部の厚さの半分以上の深さを有する。
【００８１】
この分岐溝２９、２９’の形状は、特に限定されるものではないが、例えば、図６に示すように、屈曲溝２１と合わせると、逆Ｙ字の形状やＹ字形状となるものがあげられる。すなわち、上記屈曲溝２１の溝底から板状断熱部１１の両側面の方向に分かれてそれぞれ所定距離延び、その先端で上記屈曲溝２１の開口端を有する面と反対側の面に向かって所定距離延びたものであり、上記屈曲溝２１の開口端を有する面から分岐溝２９の先端部までの溝の深さが、板状断熱部１１の厚さの半分以上の深さのものがあげられる。この分岐溝２９の形状を有する板状断熱部１１は、根太間に挿入されるとき、脚部１２のある方を下向きにして屈曲させて山状にするので、上記の屈曲溝２１の開口端を有する面は、脚部１２を有さない上面２４、上記の反対側の面は、脚部１２を有する下面２５とすることが好ましい。
【００８２】
また、上記の他に、図７に示すように、屈曲溝２１’と合わせると、逆Ｔ字の形状やＴ字形状となるものもあげられる。すなわち、上記屈曲溝２１’の溝底から板状断熱部１１の両側面の方向に分かれてそれぞれ所定距離延びたものであり、上記屈曲溝２１’の開口端を有する面から分岐溝２９’の先端部までの溝の深さが、板状断熱部１１の厚さの半分以上の深さのものがあげられる。この分岐溝２９’の形状を有する板状断熱部１１は、根太間に入れるときは、脚部１２のある方を下向きにして屈曲させて山状にするので、上記の屈曲溝２１’の開口端を有する面は、脚部１２を有さない上面２４、上記の反対側の面は、脚部１２を有する下面２５とすることが好ましい。
【００８３】
上記の屈曲溝２１、２１’及び分岐溝２９、２９’に加え、この板状断熱部１１には、いずれか一方の面の両側部に板状断熱部１１の厚さの半分以上の深さを有する側部溝２２が長手方向全長にわたり形成される。この側部溝２２は、屈曲溝２１、２１’の設けられている面と反対側の面に設ければ、板状断熱部１１が圧縮されるときにより均一に圧縮されるので好ましい。よって、屈曲溝２１、２１’が板状断熱部１１の上面２４に設けられるときは、溝２２は板状断熱部１１の下面２５に設けられるのが好ましい。
【００８４】
この建築用断熱材は分岐溝２９、２９’が設けられるので、溝底部２３、２３’が広くなり、板状断熱部１１を屈曲させて山状にしたときに生じる歪みを分散させることができ、溝底部２３、２３’の破断を防止することができる。
【００８５】
また、屈曲溝２１、分岐溝２９及び側部溝２２が設けられたので、板状断熱部１１が圧縮されるときでも、これらの溝でこの圧縮量を吸収することができる。
【００８６】
この建築用断熱材にかかる第３の実施形態は、図８に示すものであり、一定幅及び一定厚さの板状断熱部３１と脚部３２を有するものである。
【００８７】
板状断熱部３１の両側面は、板状断熱部３１の脚部３２を有する下面２５’から上面２４’に向かって外向きに広がって形成される。板状断熱部３１の上面２４’の幅を規定の根太間の幅より大きく設定すれば、根太間の幅が規定より大きくなった場合に対応することができる。
【００８８】
また、板状断熱部３１の下面２５’の両側部には、下方に突出する脚部３２がそれぞれ長手方向全長にわたり設けられ、また、脚部３２が配される位置に対応する板状断熱部３１の上面２４’に、この第３の実施形態にかかる他の同様の建築用断熱材の脚部を挿入できる幅を有する脚部挿入溝３３がそれぞれ長手方向全長にわたり形成される。
【００８９】
この脚部３２と脚部挿入溝３３は、図１０に示すように、ブロック体から切り出して作る場合には、脚部挿入溝３３を切り出したとき、残った部分を上層の脚部３２とすることができるので、脚部３２と脚部挿入溝３３とを対応する板状断熱部３１の下面２５’と上面２４’に設けることが好ましい。よって、脚部挿入溝３３の深さは、脚部３２の長さと等しい場合が好ましい。
【００９０】
また、板状断熱部３１の両側面と脚部挿入溝３３との間の板状断熱部３１の上面２４’に、板状断熱部３１の厚さの半分以上の深さを有する側部溝３４がそれぞれ長手方向全長にわたり形成される。
【００９１】
上記の脚部挿入溝３３及び側部溝３４によって、根太間の幅が板状断熱部３１の上面の幅より小さいときでも、根太間に板状断熱部３１を挿入することができる。挿入したとき、図９に示すように、脚部挿入溝３３及び側部溝３４が閉塞することで根太間の幅の変動に対応することができ、よりこの幅が狭いときは、板状断熱部３１自体が収縮することで対応することができる。この建築用断熱材に用いられる材料は、第１の実施形態と同様のものを用いるので、ある程度の収縮性を有している。
【００９２】
脚部３２の長さは、図９に示すように、板状断熱部３１の上面と根太１８の上面が同一平面上になるような長さとすることが好ましい。
【００９３】
また、この建築用断熱材の材料としてビーズ法発泡ポリスチレンのようなブロック体から得られる場合は、図１０に示すように、上記ブロック体を切るとき、脚部３２、板状断熱部３１、脚部挿入溝３３及び側部溝３４が構成されるように、ブロックの一側面から他側面に向かって、刃を自在に動かして切断していくことができる。このとき、１枚の刃を用いて順番に切ることもでき、また、複数の刃を用いて一度に切ることもできる。これにより、上記ブロック体から建築用断熱材の積層体が得られる。
【００９４】
この場合、材料をほとんどロスすることなく、建築用断熱材に供与することができる。最も大きなロスは、上記ブロック体の最下部に形成される建築用断熱材の下側で、その脚部３２の間に挟まれる部分であるが、この部分は、上記ブロック体の最下部の建築用断熱材の脚部３２を保護するための保護材として、運搬等に利用することができる。
【００９５】
この建築用断熱材にかかる第４の実施形態は、図１１〜１２に示すものであり、一定幅及び一定厚さの板状断熱部３５からなるものである。
【００９６】
板上断熱部３５の両側面は、端面からみたときに円弧状となるように形成されており、その円弧状側面の内側には、上記の各側面に沿った円弧状の溝３６が長手方向全長にわたってそれぞれ形成されている。また、上記の円弧状溝３６を設けるため、各円弧状側面から円弧状溝３６にかけて切込溝３７が長手方向全長にわたり形成される。この切込溝３７の位置は特に限定されるものではなく、例えば、図１２に示すように、各円弧状側面から円弧状溝３６の端部にかけて設けることができる。
【００９７】
円弧状側面と円弧状溝３６との間に形成される部片３８は円弧状をしているので、円弧状側面の外側からの負荷に対して抵抗力が大きい。このため、図１３に示すように、根太１８と隣り合う根太１８との間に板状断熱部３５を挿入した際、上記他の建築用断熱材の実施形態に用いられる脚部を設けることなく、板状断熱部３５の上面と根太１８の上面を同一平面上に維持することができる。
【００９８】
切込溝３７が板状断熱部３５の上面側の両円弧状側面から円弧状溝３６の端部にかけて設けられる場合、図１３に示すように、根太１８間に板状断熱部３５を挿入するときに、円弧状部片３８が破損するのを防止することができる。
【００９９】
板状断熱部３５の円弧状側面の頂部から頂部までの幅は、想定される根太１８間の最大幅の設定すればよく、根太１８間の幅がそれより狭くなったときは、図１３に示すように、円弧状溝３６の閉塞や板状断熱部３５自体の収縮によって調整される。この建築用断熱材に用いられる材料は、第１の実施形態と同様のものを用いるので、ある程度の収縮性を有している。また、板状断熱部３５を根太１８間に挿入するとき、その側面が円弧状となっているので挿入が容易となる。
【０１００】
この建築用断熱材にかかる第５の実施形態は、図１９〜２２に示すように、一定幅及び一定厚さの板状断熱部１１”とその両側に脚部１２”からなる。
【０１０１】
板状断熱部１１”には、上面２４に上記板状断熱部１１”の厚さの半分以上の深さを有する上面溝１３が長手方向全長にわたり形成され、また、板状断熱部１１”の下面２５に上面溝１３の位置から所要寸法ずらせて、上記板状断熱部１１”の厚さの半分以上の深さの下面溝が長手方向全長にわたり形成されている。上記上面溝１３及び下面溝１４を形成することにより、上面溝１３及び下面溝１４の溝底部分相互間が連結され、屈曲自在の連結部１５が形成される。この連結部１５を設けたので、板状断熱部１１”を根太間に配するために板状断熱部１１”を山状にしたとき、生ずる歪みを分散させることができ、この部分が破断するのを防ぐことができる。
【０１０２】
なお、上面溝１３及び下面溝１４の本数、配置位置、これらの間の距離、上面溝１３と下面溝１４との相互関係は、第１の実施形態の場合と同様とすることにより、同様の効果を得ることができる。
【０１０３】
上面溝１３及び下面溝１４の本数及び配置の好ましい建築用断熱材の例として、図１９や図２０に示すような、下面２５に下面溝１４を２本設け、この２本の下面溝１４に挟まれる部分の上面２４に上面溝１３を１本設けた板状断熱部があげられる。
【０１０４】
この構造をとることにより、板状断熱部１１”の強度が低下することなく、連結部１５のバネ状の性質を発揮するので、連結部１５における破断を生じるのを防ぐことができる。
【０１０５】
板状断熱部１１”の両側面には、この両側面から外方に突出させ、その突出部を下方に延長させて脚部１２”を長手方向全長にわたって設けられる。さらに、板状断熱部１１”の下面の両側部に脚屈曲用溝３９が、長手方向全長にわたりそれぞれ形成される。
【０１０６】
この脚屈曲用溝３９の位置は、板状断熱部１１”の下面の両側部にあれば特に限定されないが、板状断熱部１１”の両側面と脚屈曲用溝３９との間の幅は、脚部１２”を内側に屈曲させるとき、容易に屈曲する程度の幅を有すればよい。
【０１０７】
この脚屈曲用溝３９の形状は、特に限定されないが、脚屈曲用溝３９の開口端が脚屈曲用溝３９の溝底より広くなるよう形成することが好ましい。このような例として、図２０に示すように、板状断熱部１１”側面側に配される脚屈曲用溝３９の溝側面を、板状断熱部１１”の側面と平行に形成し、脚屈曲用溝３９の上記の溝側面と反対側の溝側面を、脚屈曲用溝３９の開口端が脚屈曲用溝３９の溝底より広くなるように傾斜を設けて形成するものがあげられる。
【０１０８】
この脚屈曲用溝３９を設けることにより、脚部１２”が内側に屈曲しやすくなり、屈曲した脚部１２”の復元力を抑えることが可能となる。
【０１０９】
また、板状断熱部１１”の両側面に、それぞれ長手方向全長にわたり屈曲起点溝４１を形成することができる。この屈曲起点溝４１は、脚部１２”の屈曲の起点となるので、脚部１２”の屈曲が容易となる。
【０１１０】
この屈曲起点溝４１の位置は、脚部１２”の屈曲の起点となることから、脚部１２”を形成する上記突出部と板状断熱部１１”の両側面の境界に設けることがより好ましい。また、脚屈曲用溝３９の溝底部も脚部１２”の屈曲の起点となりえることから、脚屈曲用溝３９の溝底部に対応する板状断熱部１１”の両側面に屈曲起点溝４１を設けることも好ましい。特に、脚屈曲用溝３９の深さが、板状断熱部１１”の下面２５から脚部１２”を形成する上記突出部の上端部までの距離と同等であり、脚部１２”を形成する上記突出部の上端部と板状断熱部１１”の側面の境界に屈曲起点溝４１を設けることがさらに好ましい。
【０１１１】
この屈曲起点溝４１は、上記のように、板状断熱部１１”の両側面に設けるだけでなく、図２１に示すように、脚屈曲用溝３９における板状断熱部１１”側面側の面に、それぞれ長手方向全長にわたり設けてもよい。
【０１１２】
この位置に屈曲起点溝４１を設けた場合においても、板状断熱部１１”の側面に設けた場合と同様の効果を得ることができる。よって、この場合の好ましい脚部１２”、脚屈曲用溝３９及び屈曲起点溝４１の関係は、屈曲起点溝４１を板状断熱部１１”の側面に設けた場合と同様である。
【０１１３】
このような、建築用断熱材を用いると、根太１８間が建築基準より広い場合でも、図２２（ｃ）に示すように、脚部１２”が根太１８と接触するので、断熱性が保たれる。また、板状断熱部１１”の位置は脚部１２”に支えられるので、板状断熱材１１”の上面と根太１８の上面とを同一平面状で保持できる。
【０１１４】
また、図２２（ｂ）に示すように、根太１８間が建築基準等の規定通りの間隔を有する場合は、上面溝１３及び下面溝１４の溝幅がある程度減り、板状断熱部１１”の両側面が根太１８と接触する。このとき、脚部１２”は、内側に屈曲して屈曲用溝３９が閉塞される。この場合、脚部１２”が屈曲用溝３９に収納されるように屈曲するので、脚部１２”が元に戻ろうとする復元力が低下する。従って、この復元力によって連結部１５が上方に突出し、板状断熱部１１”が根太１８より上方に突出するのを防止できる。
【０１１５】
さらに、根太１８間が建築基準等の規定より狭い場合は、図２２（ａ）に示すように、上面溝１３、下面溝１４の溝幅がなくなり、場合によっては板状断熱部１１”自体が圧縮される。このとき、脚部１２”は、図２２（ｂ）の場合と同様となる。この場合、板状断熱部１１”が根太１８間に密着しているので、ずり落ちることはない。
【０１１６】
【発明の効果】
この建築用断熱材にかかる発明によれば、上記各種の溝を設けたので、根太と隣り合う根太との間隔が板状断熱部の幅より小さくなった場合でも、溝を閉塞することにより、板状断熱部を根太間に挿入することができる。
【０１１７】
また、この建築用断熱材にかかる第１〜３及び第５の実施形態によれば、脚部を板状断熱部の側面より外方にそれぞれ突出させたので、両脚部間の幅は、板状断熱部の幅より大きくなる。このため、想定される根太と隣り合う根太との間隔の最大値に両脚部間の幅を設定すれば、根太と板状断熱部との間の隙間が発生するのを防ぐことができる。
【０１１８】
さらに、根太と隣り合う根太との間隔が、両脚部間の幅と板状断熱部の幅の間になったときは、脚部を内側に屈曲させることができるので、板状断熱部を根太間に挿入することができ、かつ、根太と板状断熱部との間の隙間が発生するのを防ぐことができる。
【０１１９】
さらにまた、この脚部の長さを調整することにより、板状断熱部の脚部の配される面と反対側の上面と根太の上面との間、すなわち、上記断熱材の上面と根太上に設けられる床板との間に空気層が生じるのを防止することができる。
【０１２０】
また、この建築用断熱材にかかる第１及び第５の実施形態において上記の連結部を設け、第２の実施形態において上記分岐溝を設けたので、板状断熱部を根太間に挿入するためにこの板状断熱部を山状にするとき、溝底部にかかる歪みを連結部、溝底等に分散し、溝底部が破断されるのを防止できる。
【０１２１】
さらにまた、この建築用断熱材にかかる第１の実施形態において、板状断熱部の厚みを、根太の高さと等しくしたときは、脚部を収納することができる場合があるので、脚部によって、板状断熱部が上方に突出するのを防止することができる。
【０１２２】
また、この建築用断熱材にかかる第５の実施形態において、根太と隣り合う根太との間隔が両脚部間の幅より小さくなったときは、上記脚部が上記脚部収納溝に屈曲してこの脚部収納溝を閉塞する。このため、脚部が有する弾性によって、この脚部が元の状態に戻ろうとするのを防止することができ、板状断熱部を根太間に挿入した際に上記板状断熱部の連結部が上方に突出するのを防止することができる。
【図面の簡単な説明】
【図１】この発明にかかる建築用断熱材の第１の実施形態の例を示す斜視図
【図２】図１の正面図
【図３】図１の建築用断熱材を根太間に挿入した状態を示す斜視図
【図４】（ａ）根太間が狭い場合の図３の一部断面図
（ｂ）根太間が規定の幅の場合の図３の一部断面図
（ｃ）根太間が広い場合の図３の一部断面図
【図５】図１の建築用断熱材の積層体を示す正面図
【図６】この発明にかかる建築用断熱材の第２の実施形態の例を示す正面図
【図７】この発明にかかる建築用断熱材の第２の実施形態の他の例を示す正面図
【図８】この発明にかかる建築用断熱材の第３の実施形態の例を示す正面図
【図９】図８の建築用断熱材を根太間に挿入した状態を示す断面図
【図１０】図８の建築用断熱材の積層体を示す正面図
【図１１】この発明にかかる建築用断熱材の第４の実施形態の例を示す斜視図
【図１２】図１１の正面図
【図１３】図１２の建築用断熱材を根太間に挿入した状態を示す断面図
【図１４】従来の建築用断熱材を根太間に挿入した状態を示す斜視図
【図１５】第１の実施形態の他の例を示す正面図
【図１６】第１の実施形態の他の例を示す斜視図
【図１７】図１６の正面図
【図１８】（ａ）根太間が狭い場合の、図１６の建築用断熱材を根太間に挿入した場合を示す一部断面図
（ｂ）根太間が広い場合の、図１６の建築用断熱材を根太間に挿入した場合を示す一部断面図
【図１９】この発明にかかる建築用断熱材の第５の実施形態の例を示す斜視図
【図２０】図１９の正面図
【図２１】図１９の屈曲起点溝の位置を変更した場合の例を示す一部正面図
【図２２】（ａ）根太間が狭い場合の、図２０の建築用断熱材を根太間に挿入した場合を示す一部断面図
（ｂ）根太間が規定の幅の場合の、図２０の建築用断熱材を根太間に挿入した場合を示す一部断面図
（ｃ）根太間が広い場合の、図２０の建築用断熱材を根太間に挿入した場合を示す一部断面図
【符号の説明】
１  断熱材
２  大引き
３  根太
４  切り込み
１０  建築用断熱材
１１、１１’  板状断熱部
１２、１２’  脚部
１３  上面溝
１４  下面溝
１５  連結部
１６  側面溝
１７、１７’  脚接続部
１８  根太
１９  大引き
２０  保護材
２１、２１’  屈曲溝
２２  側部溝
２３、２３’  溝底部
２４、２４’  上面
２５、２５’  下面
２６  脚部収納溝
２７  屈曲起点溝
２８  屈曲辺
２９、２９’  分岐溝
３１  板状断熱部
３２  脚部
３３  脚部挿入溝
３４  側部溝
３５  板状断熱部
３６  円弧状溝
３７  切込溝
３８  円弧状部片
３９  脚屈曲用溝
４１  屈曲起点溝
【図１】
0003756609.tif 000002
【図２】
0003756609.tif 000003
【図３】
0003756609.tif 000004
【図４】
0003756609.tif 000005
【図５】
0003756609.tif 000006
【図６】
0003756609.tif 000007
【図７】
0003756609.tif 000008
【図８】
0003756609.tif 000009
【図９】
0003756609.tif 000010
【図１０】
0003756609.tif 000011
【図１１】
0003756609.tif 000012
【図１２】
0003756609.tif 000013
【図１３】
0003756609.tif 000014
【図１４】
0003756609.tif 000015
【図１５】
0003756609.tif 000016
【図１６】
0003756609.tif 000017
【図１７】
0003756609.tif 000018
【図１８】
0003756609.tif 000019
【図１９】
0003756609.tif 000020
【図２０】
0003756609.tif 000021
【図２１】
0003756609.tif 000022
【図２２】
0003756609.tif 000023